(57)【要約】      （修正有）【課題】循環機能および排出機能を一つのポンプ室にて行うことのでき、循環機能および排出機能をそれぞれ最適の流量にて行うことのできるポンプを提供する。【解決手段】循環機能および排出機能を一つのポンプ室３０にて実現し、且つ循環機能を行うための循環側ポンプ流出口３１ｂ１および排出機能のための排出側ポンプ流出口３１ｂ２を設けることによって、排出機能および循環機能を必要とする機器におけるポンプの数を２つから１つに減らすことができるとともに、排出機能および循環機能をそれぞれ最適な流量にて行うことができる。【選択図】図２
2008012140.tif 000002
【特許請求の範囲】
【請求項１】
容器内の液体を容器流出口から排出し、再び容器内に戻す循環機能と、該容器流出口から前記液体を外部へ排出する排出機能を有する機器に搭載されるポンプであって、
該ポンプは、
前記容器流出口と連結するポンプ流入口を有するポンプ室と、該ポンプ室に配置されたインペラと、該インペラを回転させるモータ部とを備え、
前記ポンプ室には、該ポンプ室に入る前記液体を該ポンプ室の外側へ流す複数のポンプ流出口を有し、
該ポンプ流出口は、
少なくとも前記循環機能を行う循環側ポンプ流出口と、
前記排出機能を行う排出側ポンプ流出口と、を有することを特徴とするポンプ。
【請求項２】
前記排出側ポンプ流出口における前記液体がおおよそ流れる方向に対して垂直に切った断面積の大きさは、前記循環側ポンプ流出口における前記液体がおおよそ流れる方向に対して垂直に切った断面積の大きさよりも大きいことを特徴とする請求項１に記載のポンプ。
【請求項３】
前記排出側ポンプ流出口の前記断面積の大きさは、前記ポンプ流入口における前記液体がおおよそ流れる方向に対して垂直に切った断面積の大きさと略同等もしくはより大きいことを特徴とする請求項２に記載のポンプ。
【請求項４】
前記モータ部には、
前記インペラと一体的に回転するロータマグネットを有する回転部と、
前記ロータマグネットを対向して配置され、前記回転部に回転駆動力を発生させるステータを有する固定部と、を有し、
前記モータ部は、電気的もしくは磁気的に前記回転部の回転位置を検出して制御を行うブラシレスモータであることを特徴とする請求項１乃至請求項３のいずれかに記載のポンプ。
【請求項５】
洗濯物を収容する略有底筒形状の洗濯槽と、該洗濯槽を外囲し前記液体を溜めることのできる外槽と、該外槽に設けられた外槽流出口と、前記洗濯槽および前記外槽から流出した前記液体を再び該洗濯槽へ戻す洗濯槽流入口と、を有し、
前記洗濯槽の前記液体を前記洗濯槽流入口から再び前記洗濯槽へ戻す循環機能と、
前記洗濯槽流出口から外部へ排出する排出機能と、を備える洗濯機であって、
当該洗濯機には、請求項１乃至請求項４のいずれかに記載のポンプが搭載されることを特徴とする洗濯機。
【請求項６】
前記ポンプは、
前記排出機能を行う際の前記モータ部の出力は、前記循環機能を行う際の前記モータ部の出力と略同等もしくは、より大きくなるように制御することを特徴とする請求項５に記載の洗濯機。
【請求項７】
前記排出機能を行う際、前記液体の一部は、前記循環側ポンプ流出口に入り、前記洗濯槽へ流出することを特徴とする請求項５および請求項６のいずれかに記載の洗濯機。
【請求項８】
前記ポンプは、前記洗濯槽の重力方向下側に配置され、前記外槽流出口は、重力方向に沿って形成されることを特徴とする請求項５乃至請求項７のいずれかに記載の洗濯機。
【発明の詳細な説明】
【技術分野】
【０００１】
本発明は、循環機能と排出機能とを有するポンプおよび当該ポンプを搭載した機器、特に洗濯機に関する。
【背景技術】
【０００２】
一般の全自動洗濯機は、洗濯槽に給水して洗濯やすすぎを行い、また洗浄力の向上や糸くずの除去および節水のために洗濯槽内の水を洗濯機内に循環させながら洗濯やすすぎを行うポンプを備えている。
【０００３】
図５に示す従来の洗濯機１００では、水道によって給水された洗濯槽１０１内の水１０２を洗濯機１００内で循環させながら洗濯やすすぎを行うための洗濯水循環用ポンプＰ１を用い、洗濯槽１０１から洗濯水を排出する際には、洗濯水の自重に頼っていた。また洗濯機１００には、洗濯水循環用ポンプＰ１に接続され、洗濯槽１０１に洗濯水循環用ポンプＰ１から送水された水を再び給水するための配管１０３および洗濯槽１０１の水を外部へ排出するための配管１０４がそれぞれ設けられる（このような従来の洗濯水循環用ポンプのみを搭載した洗濯機の例として、例えば、特許文献１参照）。
【０００４】
【特許文献１】特開２００２−８５８９４号公報
【発明の開示】
【発明が解決しようとする課題】
【０００５】
特許文献１のような従来の洗濯水循環用ポンプＰ１のみがある構成では、洗濯水を排出する際に多大な時間を要してしまう。この対策として、図６のように洗濯機に洗濯水排出用ポンプＰ２を別途搭載する場合がある。
【０００６】
しかしながら、洗濯水循環用ポンプＰ１および洗濯水排出用ポンプＰ２の２台のポンプを洗濯機１００に搭載してしまうと、洗濯水循環用ポンプＰ１および洗濯水排出用ポンプＰ２のそれぞれに接続された配管１０３、１０４を設置するスペースを洗濯機１００内に要してしまう。その結果、洗濯機が大型化し、また重量も重くなってしまう。さらにポンプの数を増加させることにより、ポンプの増加分の費用が増大する。その上、各ポンプ組み込みのための付属部品や組み立ての作業工数を必要として洗濯機が高価格なものとなっている。
【０００７】
したがって、本発明は上記問題に鑑みなされたものであり、その目的とするところは、循環機能および排出機能を一つのポンプ室にて行うことのできるポンプを提供することである。
【課題を解決するための手段】
【０００８】
本発明のポンプは、循環機能および排出機能を一つのポンプ室にて実現し、且つ循環機能を行うための循環側ポンプ流出口および排出機能のための排出側ポンプ流出口を設けることによって、排出機能および循環機能を必要とする機器におけるポンプの数を２つから１つに減らすことができるとともに、排出機能および循環機能をそれぞれ最適な流量にて行うことができる。
【０００９】
本発明の請求項１によれば、容器内の液体を容器流出口から排出し、再び容器内に戻す循環機能と、該容器流出口から前記液体を外部へ排出する排出機能を有する機器に搭載されるポンプであって、該ポンプは、前記容器流出口と連結するポンプ流入口を有するポンプ室と、該ポンプ室に配置されたインペラと、該インペラを回転させるモータ部とを備え、
前記ポンプ室には、該ポンプ室に入る前記液体を該ポンプ室の外側へ流す複数のポンプ流出口を有し、該ポンプ流出口は、少なくとも前記循環機能を行う循環側ポンプ流出口と、
前記排出機能を行う排出側ポンプ流出口と、を有することを特徴とする。
【００１０】
本発明の請求項１に従えば、一つのポンプ室にて循環機能および排出機能を果たすことができるので、機器に必要なポンプの数を減らすことができる。したがって、循環機能および排出機能を有する機器の低価格化を実現することができる。その上、ポンプ室に循環機能における循環側ポンプ流出口および排出機能における排出側ポンプ流出口をそれぞれ設けるので、循環機能および排出機能に必要な流量をそれぞれ設定することができる。
【００１１】
本発明の請求項２によれば、請求項１に係り、前記排出側ポンプ流出口における前記液体がおおよそ流れる方向に対して垂直に切った断面積の大きさは、前記循環側ポンプ流出口における前記液体がおおよそ流れる方向に対して垂直に切った断面積の大きさよりも大きいことを特徴とする。
【００１２】
本発明の請求項２に従えば、排出側ポンプ流出口の断面積の大きさが、循環側ポンプ流出口の断面積の大きさより大きいことにより、排出機能を作動させる際に、ポンプ室に流入する液体の殆どが排出側ポンプ流出口の方へ流れていく。したがって、排出させる流量を大きくすることができる。したがって、排出時間の縮小化を図ることができる。
【００１３】
本発明の請求項３によれば、請求項２に係り、前記排出側ポンプ流出口の前記断面積の大きさは、前記ポンプ流入口における前記液体がおおよそ流れる方向に対して垂直に切った断面積の大きさと略同等もしくはより大きいことを特徴とする。
【００１４】
本発明の請求項３に従えば、排出側ポンプ流出口の断面積の大きさがポンプ流入口の断面積の大きさよりも大きいことによって、ポンプ流入口からポンプ室に流入する液体の流量に対して液体がポンプ室に留まることなく、排出側ポンプ流出口から排出することができる。したがって、排出機能の効率を向上させることができる。
【００１５】
本発明の請求項４によれば、前記モータ部には、前記インペラと一体的に回転するロータマグネットを有する回転部と、前記ロータマグネットを対向して配置され、前記回転部に回転駆動力を発生させるステータを有する固定部と、を有し、前記モータ部は、電気的もしくは磁気的に前記回転部の回転位置を検出して制御を行うブラシレスモータであることを特徴とする。
【００１６】
本発明の請求項４に従えば、モータ部をブラシレスモータとすることによって、低速回転から高速回転までを良好に制御できるので、低流量から高流量までの流量制御を良好に制御することができるポンプを提供することができる。
【００１７】
本発明の請求項５によれば、洗濯物を収容する略有底筒形状の洗濯槽と、該洗濯槽を外囲し前記液体を溜めることのできる外槽と、該外槽に設けられた外槽流出口と、前記洗濯槽および前記外槽から流出した前記液体を再び該洗濯槽へ戻す洗濯槽流入口と、を有し、前記洗濯槽の前記液体を前記洗濯槽流入口から再び前記洗濯槽へ戻す循環機能と、前記洗濯槽流出口から外部へ排出する排出機能と、を備える洗濯機であって、当該洗濯機には、請求項１乃至請求項４のいずれかに記載のポンプが搭載されることを特徴とする。
【００１８】
本発明の請求項５に従えば、洗濯機に循環機能および排出機能を一体としたポンプを搭載することにより、洗濯機の軽量化および小型化を図ることができる。
【００１９】
本発明の請求項６によれば、請求項５に係り、前記ポンプは、前記排出機能を行う際の前記モータ部の出力は、前記循環機能を行う際の前記モータ部の出力と同一もしくはより大きくなるように制御することを特徴とする。
【００２０】
本発明の請求項６に従えば、洗濯機における循環機能は液体を少ない流量にて洗剤を溶かし、排出機能は、多い流量にて機外へ液体を排出する必要がある。そのために、循環機能の際に、モータ部の出力を小さくすることによって、インペラを低速回転させることによって循環側ポンプ流出口に少ない流量を送水することができる。さらに排出機能の際に、モータ部の出力を大きくすることによって、インペラを高速回転させることによって、排出側ポンプ流出口に多い流量を送水することができる。したがって、排出機能の時間を短縮することができる。その結果、洗濯時間を短縮することができる。
【００２１】
本発明の請求項７によれば、請求項５および請求項６のいずれかに係り、前記排出機能を行う際、前記液体の一部は、前記循環側ポンプ流出口に入り、前記洗濯槽へ流出することを特徴とする。
【００２２】
本発明の請求項７に従えば、排出機能を行う際に、液体の一部を循環側ポンプ流出口に入ってもよい。すなわち、循環側ポンプ流出口側に循環側ポンプ流出口から洗濯槽へ液体を流さないための切替弁を設ける必要がなくなる。したがって、部品点数を減少させることによって、ポンプを安価に提供することができる。
【００２３】
本発明の請求項８によれば、請求項５乃至請求項７のいずれかに係り、前記ポンプは、前記洗濯槽の重力方向下側に配置され、前記外槽流出口は、重力方向に沿って形成されることを特徴とする。
【００２４】
本発明の請求項８に従えば、ポンプが洗濯槽の重力方向下側に配置されることにより、排出機能を行う場合、ポンプによる吸引力のほかに重力作用も加えることができるので、排出機能の効率をより向上させることができる。
【発明の効果】
【００２５】
本発明によれば、循環機能および排出機能を一つのポンプ室にて行うことのでき、循環機能および排出機能をそれぞれ最適の流量にて行うことのできるポンプを提供することができる。
【発明を実施するための最良の形態】
【００２６】
＜ポンプの構造＞
本発明のポンプの構造について図１を参照して説明する。図１は、ポンプを軸方向に切った模式断面図である。以下、ポンプの構造の説明にて用いる軸方向および径方向の位置関係は、図１のみに適用されるものである。
【００２７】
ポンプ１０は、モータ部２０とポンプ室３０とが一体となって構成されている。
【００２８】
モータ部２０は、略有底円筒形状に形成された第１ケーシング２１の外周面側に固定された固定部２２と、第１ケーシング２１の内周面側に配置され、固定部２２に対して所定の回転軸Ｊ１の周りを回転自在に回転するロータマグネット２４ａを有する回転部２４とを備える。
【００２９】
固定部２２は、円環状のコアバック部と、コアバック部から径方向内側へ複数放射状に延びるティース部とからなる薄板の電磁鋼板を複数積層されて形成されたステータコア２２ａ１と、ステータコア２２ａ１のティース部に導電線を複数積層されるように巻回して形成されたコイル２２ａ２とからなるステータ２２ａと、ステータ２２ａの軸方向下側に配置され、導電線が接続することによって電気的導通を図る回路基板２２ｂと、を備える。そしてステータ２２ａおよび回路基板２２ｂをモールド樹脂２２ｃによって樹脂内にモールドされる。このモールド樹脂２２ｃ内にステータ２２ａおよび回路基板２２ｂがモールドされることによって、モータ部２０の耐水性および電気的絶縁性を向上させることができる。また回路基板２２ｂには、コイル２２ａ２の逆起電力を測定することによって回転部２４の回転位置を検出および制御を行う制御ＩＣが実装されている。
【００３０】
固定部２２の外周側には、外部との電気的接続を可能にするコネクタ２２ｄがモールド樹脂２２ｃによって一体的にモールドされる。このコネクタ２２ｄは、回路基板２２ｂとも電気的に接続されている。
【００３１】
回転部２４は、回転軸Ｊ１と同軸であるシャフト２４ｂと、シャフト２４ｂに固定される略円筒形状のロータマグネット２４ａとを備える。そしてロータマグネット２４ａの外周面は、ステータ２２ａのティース部の内周面と径方向に小さな間隙を介して対向するように配置される。この間隙には、第１ケーシング２１の円筒部２１ａが配置される。この円筒部２１ａによって、ロータマグネット２４ａとステータ２２ａとが隔絶され、固定部２２側に水等の液体の侵入を防ぐことができる。
【００３２】
第１ケーシング２１の軸方向上側には、第１ケーシング２１の軸方向上側に設けられた開口部に蓋をするように第２ケーシング２５が固定されている。この第２ケーシング２５には、回転軸Ｊ１と同軸であり、軸方向に沿って貫通孔２５ａが形成されている。この貫通孔２５ａには、シャフト２４ｂが挿通されている。
【００３３】
シャフト２４ｂは、第１ケーシング２１および第２ケーシング２２にそれぞれ設けられた略円筒形状の上側軸受部材２６、下側軸受部材２７によって、回転自在に支持される。上側軸受部材２６は、第１ケーシング２１の底部２１ｂにおける回転軸Ｊ１と同軸の位置に形成された軸方向上側に開口された凹部２１ｂ１によって固定される。そして下側軸受部材２７は、第２ケーシング２５の貫通孔２５ａによって固定される。
【００３４】
第２ケーシング２５の軸方向上側には、外部からの水等の液体を流入するポンプ流入口３１ａと、外部へ水等の液体を流出するポンプ流出口３１ｂとを備える第３ケーシング３１が第２ケーシング２５の外周面を覆うように固定されている。この第３ケーシング３１と第２ケーシング２５および第１ケーシング２１によって囲まれた空間がポンプ室３０となる。ここで、ポンプ流入口３１ａは、軸方向に沿って形成される。そしてポンプ流出口３１ｂは、軸方向に対して垂直な方向に沿って形成される。
【００３５】
ポンプ室３０内には、インペラ３２がシャフト２４ｂの上部に固定されて配置される。インペラ３２は、円板形状のプレート３２ａの上面に径方向に複数の放射状の羽根３２ｂが形成されている。そしてインペラ３２が回転することにより、ポンプ流入口３１ａから入った水等の液体は、ポンプ流出口３１ｂに向かい流れる流路が形成される。
【００３６】
＜ポンプ室の構造＞
本発明のポンプ室３０における第２ケーシング２５および第３ケーシング３１に囲まれた空間の構造について図２および図３を参照して説明する。図２は、ポンプ室３０を上側より見た平面図である。図３は、図１とは異なる周方向から見たポンプ室３０の軸方向に切った模式断面図である。
【００３７】
ポンプ室３０には、２つのポンプ流出口３１ｂが形成される。これらポンプ流出口３１ｂは、ポンプ流入口３１ａから流入した水等の液体を循環させる循環側ポンプ流出口３１ｂ１と、ポンプ流入口３１ａから流入した水等の液体を外部へ排出させる排出側ポンプ流出口３１ｂ２とから構成される。また排出側ポンプ流出口３１ｂ２の液体のおおよその流れに対して垂直な断面積の大きさは、循環側ポンプ流出口３１ｂ１の液体のおおよその流れに対して垂直な断面積の大きさよりも大きくなるように形成される。その上、排出側ポンプ流出口３１ｂ２の断面積の大きさは、ポンプ流入口３１ａの液体のおおよその流れに対して垂直な断面積の大きさと同等か、もしくは大きくなるように形成される。また循環側ポンプ流出口３１ｂ１の断面積の大きさは、ポンプ流入口３１ａの断面積の大きさよりも小さくなるように形成される。
【００３８】
＜洗濯機におけるポンプ配置構造＞
本発明のポンプを搭載した洗濯機について図４を参照して説明する。図４は、洗濯機内のポンプの配置および配管経路を示した模式図である。以下、循環機能および排出機能を中心として説明する。また以下、洗濯水およびすすぎ水を一括して水とする。
【００３９】
図４を参照して、洗濯機４０は、洗濯機本体４１内に洗濯物を収容する多数の小孔を有する洗濯槽４２と、水を貯留し洗濯槽４２を内装する外槽４４が設けられている。外槽４４および洗濯槽４２は防振機構（図示せず）により洗濯機本体４１に支持され、洗濯槽４２は中心部に固定された回転軸４５により外槽４４内に回転自在に軸支される。そして回転軸４５はモータ（Ｍ）に連結されている。外槽４４には水道水を給水するための給水バルブ４６を備えた給水管４７が設けられている。また洗濯機本体４１の外装前面には各洗濯工程の運転制御を行うマイクロコンピュータを中心とする制御回路を内蔵する操作パネル４８が設けられている。
【００４０】
洗濯機４０は、水道水を洗濯槽４２に供給する機能、洗濯中に洗濯槽４２および外槽４４に溜められた水を洗濯機本体４１内で循環させることによって、洗剤を溶かし、洗濯物に付着した糸くず等のゴミを取り除く循環機能、および洗濯槽４２および外槽４４内の水を機外へ強制的に排出する排出機能を備える。そしてこの循環機能および排出機能を行う循環・排出ポンプとして、本発明のポンプ１０を洗濯機本体４１の洗濯槽４２および外槽４４の重力方向下側に取り付ける。
【００４１】
ポンプ１０は、外槽４４の重力方向下側に形成された外槽流出口４４ａと接続された給水用配管５１が設けられる。そして給水用配管５１は、ポンプ１０のポンプ流入口３１ｂ（図１参照）に接続される。またポンプ１０の循環側ポンプ流出口３１ｂ１には、ポンプ１０に送られた水を再び洗濯槽４２に循環させる循環用配管５２が接続される。この循環用配管５２は、洗濯槽４２へ水を流入させる洗濯槽流入口５２ａを備える。さらにポンプ１０の排出側ポンプ流出口３１ｂ２には、ポンプ１０に送られた水を機外へ排出する排出用配管５３が接続される。排出用配管５３には、弁５４が設けられる。この弁５４は、給水機能および循環機能を作動させる場合には閉じ、排出機能を作動させる場合にのみ開くように設定されている。
【００４２】
また循環用配管５２の下側には、洗剤を充填する洗剤充填部５５および糸くず等のゴミを収集する収集部５６が設けられる。この洗剤充填部５５は、給水管４７の下側まで形成されている。そして洗剤充填部５５は、給水管４７からの水が通る第一洗剤充填部５５ａおよび循環用配管５２の水が通る第二洗剤充填部５５ｂが設けられる。この第一洗剤充填部５５ａと第二洗剤充填部５５ｂとの間には隔壁５５ｃが形成される。この隔壁５５ｃにより、第一洗剤充填部５５ａと第二洗剤充填部５５ｂとを通る水は相手側に入ることを防ぐことができる。
【００４３】
洗濯機４０における通常の洗濯工程は、洗濯槽４２に洗濯物が投入された後、まず給水管４７の給水バルブ４６が動作して第一洗剤充填部５５ａを通った洗剤が溶かされた水が洗濯槽４２に給水されて設定水位に達すると給水が終了し、洗濯槽４２が回転動作を開始して洗濯が行われる洗浄工程と、洗濯槽４２に貯められた水を機外へ排出する第一排出工程と、給水バルブ４６により再度給水が行われ、洗濯槽４２が回転動作を開始して洗濯が行われるすすぎ工程と、洗濯槽４２に貯められた水を機外へ排出する第二排出工程と、第二排出工程後に洗濯槽４２を高速回転させ、洗濯槽４２に設けられた小孔により洗濯物に含まれる水を遠心力により飛ばす脱水工程と、を備える。この洗濯工程は、使用者が操作パネル４８により水位、洗濯時間等を設定する。洗濯機４０は操作パネル４８によって設定されたプログラムに従い自動制御されて運転される。
【００４４】
すすぎ工程の際にポンプ１０は循環機能が動作し、第二洗剤充填部５５ｂに充填された洗剤を溶かす。すなわち、排出用配管５３の弁５４が閉じることによって、洗濯槽４２に溜められた水は、ポンプ室３０の循環側ポンプ流出口３１ｂ１（図２および図３参照）を通り、循環用配管５２によって再び洗濯槽４２へ給水される。そして循環用配管５２によって洗濯槽流入口５２ａから送水された水は、途中で第二洗剤充填部５５ｂを通ることによって洗剤と混ざった水として洗濯槽４２に給水される。この循環機能では、第二洗剤充填部５５ｂに充填されている洗剤を溶かすだけの水の流量が循環用配管５２に送水されればよいので、水は少量の流量であればよい。その上、すすぎ工程は複数回行われることがあるので、水の流量を制御して、洗剤と混合した水が適切な濃度となるようにする必要がある。したがって、ポンプ１０におけるモータ部２０（図１参照）は出力を小さくし、インペラ３２の回転数を少なくすることによって流量を調節する。
【００４５】
第一排出工程および第二排出工程の際にポンプ１０は排出機能が動作し、水は機外へ排出される。この際、ポンプ１０におけるモータ部２０は出力を大きくし、インペラ３２の回転数を多くすることによって流量を大きくなるように調節する。さらに排出側ポンプ流出口３１ｂ２の断面積が大きく形成されているので、大流量を排出することができる。したがって、第一排出工程および第二排出工程の時間を削減することができる。その結果、洗濯工程の時間を少なくすることができる。またこれら第一排出工程および第二排出工程の際には、水の一部は循環用配管５２に送水される。したがって、第一排出工程および第二排出工程によって、洗浄工程およびすすぎ工程にて発生した洗濯物の糸くず等のゴミが循環用配管５２に残っている場合、収集部５６にて収集することができる。その上、第一排出工程および第二排出工程の際に循環用配管５２にも水が流れてもよいので、循環側ポンプ流出口３１ｂ１および循環用配管５２の間に水が循環用配管５２に流れることを防ぐような切替弁を設けなくてもよい。したがって、部品点数の削減を図ることができ、安価なポンプおよび洗濯機を提供することができる。
【００４６】
ここで、循環側ポンプ流出口３１ｂ２の断面積がポンプ流入口３１ａに対して小さく形成されるので、循環用配管５２に送水される水の流量を容易に調節することができる。また排出側ポンプ流出口３１ｂ１の断面積がポンプ流入口３１ａおよび循環側ポンプ流出口３１ｂ２に対して大きく形成されるので、第一排出工程および第二排出工程の際に、大流量の水を機外へ排出することができる。特にポンプ流入口３１ａの断面積よりも排出側ポンプ流出口３１ｂ２の断面積が大きく形成されるので、ポンプ室３１内に流入する水の流量よりも流出する流量の方が多くなるので円滑に排出することができる。その上、外槽４４における外槽流出口４４ａが略重力方向に沿って貫通するように形成されているので、洗濯槽４２および外槽４４に溜められた水をポンプ室３０への送水をインペラ３２の回転による力に重力作用を加えることができる。したがって、第一排出工程および第二排出工程の際に洗濯槽４２および外槽４４内の水をより短時間にて機外へ排出することができる。その結果、洗濯工程の時間をさらに減少させることができる。
【００４７】
以上、本発明の実施例について記載したが、本発明は上記実施例に限定されることなく、種々の変形を行うことができる。
【００４８】
例えば、本発明のポンプ１０は、洗濯機４０に搭載されたが、本発明は循環機能および排出機能を有した機器であれば搭載可能であるので、これに限定されることはない。
【００４９】
また例えば、本発明のポンプ１０におけるモータ部２０は、コイル２２ａ２の逆起電力によって回転部２４の回転位置を検出していたが、本発明はこれに限定されることはない。本発明は、回転部２４の回転位置の検出する手段があればよいので、例えば、ホール素子等の磁気によって回転部２４、特にロータマグネット２４ａの磁極を検出することによって回転部２４の回転位置の検出を行っても良い。
【図面の簡単な説明】
【００５０】
【図１】本発明のポンプの構造を示す軸方向に切った模式断面図である
【図２】本発明のポンプ室を示した上側から見た平面図である
【図３】本発明のポンプ室を図１とは周方向の異なった角度から見た軸方向に切った模式断面図である
【図４】本発明の洗濯機に搭載されるポンプの送水経路を示した模式図である
【図５】従来の洗濯機の構造を示した模式図である
【図６】従来の洗濯機の別の構造を示した模式図である
【符号の説明】
【００５１】
１０          ポンプ
２０          モータ部
２２          固定部
２２ａ        ステータ
２４          回転部
２４ａ        ロータマグネット
３０          ポンプ室
３１ａ        ポンプ流入口
３１ｂ        ポンプ流出口
３１ｂ１      循環側ポンプ流出口
３１ｂ２      排出側ポンプ流出口
３２          インペラ
４０          洗濯機
４２          洗濯槽
４４          外槽
４４ａ        外槽流出口
５２ａ        洗濯槽流入口
【図１】
2008012140.tif 000003
【図２】
2008012140.tif 000004
【図３】
2008012140.tif 000005
【図４】
2008012140.tif 000006
【図５】
2008012140.tif 000007
【図６】
2008012140.tif 000008